(57)【要約】【課題】防塵防滴性能を維持したまま、部品点数（固定ネジ）を削減し、また、外装カバーの取り付け構造において、外装カバーを取り付け・取り外しするときに係合部が破損することのない電子機器を提供すること。【解決手段】金属から成る前カバーと、樹脂から成る後ろカバーと、三脚を取付ける為のヘリサートと、から成り、前記前カバーに前記ヘリサートを取付ける為のめねじ部を有し、前記後ろカバーにめねじ部が露出するための開口部を有する電子機器であって、前記開口部の側壁に凸部を有することを特徴とする。【選択図】図３
2019179053.tif 000002
【特許請求の範囲】
【請求項１】
金属から成る前カバーと、
樹脂から成る後ろカバーと、
三脚を取付ける為のヘリサートと、
から成り、前記前カバーに前記ヘリサートを取付ける為のめねじ部を有し、前記後ろカバーにめねじ部が露出するための開口部を有する電子機器であって、
前記開口部の側壁に凸部を有することを特徴とする電子機器。
【請求項２】
前記後ろカバーに設けられた凸部は、前記前カバー側に設けられ、前記ヘリサートのおねじ部に係合する凸部と、前記前カバー側と逆側に設けられ、前記ヘリサートのおねじ部よりも小さい凸部と、を有することを特徴とする請求項１に記載の電子機器。
【請求項３】
前記前カバーと前記後ろカバーの間に弾性部材を配置することを特徴とする請求項１に記載の電子機器。
【発明の詳細な説明】
【技術分野】
【０００１】
本発明は、外装カバーの取り付け構造に関する。
【背景技術】
【０００２】
図５は、従来例の筐体を示す斜視図である。筺体１０１本体に別途ユーザが用意した図示しない三脚を着脱可能とするための三脚部１０２が配置されている。外装の前面を構成する前カバー１０３と外装の背面を構成する後ろカバー１０４と、前カバー２と後ろカバー３の間に弾性部材１０６が設けられている。三脚部１０２の両端に固定ネジ１０５を設けることにより、後ろカバーは固定され、塵や水滴の侵入を防止している。
【０００３】
また、図６は、別の従来例の筐体を示す斜視図である。筐体本体にカバーが係合部（爪部）により固定される筐体が知られている。例えば、筺体２０１本体には図示しないフロントケース、リアケース２０２、リアケース２０２の背面側には開口部を塞ぐカバー２０３が形成されている。カバー２０３には爪部２０４が設けられ、リアケース２０２に設けられた凸部（被係合部）２０５と係合することにより、カバー２０３は固定されている。特許文献１には、このようにネジ、ピンの規制部材で爪のたわみを防止した技術が開示されている。
【先行技術文献】
【特許文献】
【０００４】
【特許文献１】特許第５９２８０３４号公報
【発明の概要】
【発明が解決しようとする課題】
【０００５】
しかしながら、従来の固定方法では、防塵防滴性能を維持するために、三脚部の両端に固定ネジを二箇所必要としていた。また、特許文献１の係合部を用いた技術は、外装カバーを取り付け・分解するときに、係合部である爪部を撓ませて変形させるため、係合部が破損する可能性があった。
【課題を解決するための手段】
【０００６】
上記の課題を解決するために、本発明に係る電子機器は、
金属から成る前カバーと、樹脂から成る後ろカバーと、三脚を取付ける為のヘリサートとから成り、前記前カバーに前記ヘリサートを取付ける為のめねじ部を有し、前記後ろカバーにめねじ部が露出するための開口部を有する電子機器であって、前記開口部の側壁に凸部を有有することを特徴とする。
【発明の効果】
【０００７】
本発明によれば、防塵防滴性能を維持したまま、部品点数（固定ネジ）を削減し、また、外装カバーの取り付け構造において、外装カバーを取り付け・取り外しするときに係合部が破損することのない電子機器を提供することができる。
【図面の簡単な説明】
【０００８】
【図１】本実施例のアクセサリ―ユニットを示す斜視図である。
【図２】本実施例のアクセサリ―ユニットを示す背面図である。
【図３】本実施例のアクセサリ―ユニットの三脚部を示す分解斜視図である。
【図４ａ】図２に示すＡ−Ａ‘線に沿うアクセサリ―ユニットの三脚部の断面図である。
【図４ｂ】図２に示すＡ−Ａ‘線に沿うアクセサリ―ユニットの三脚部の断面図である。
【図４ｃ】図２に示すＡ−Ａ‘線に沿うアクセサリ―ユニットの三脚部の断面図である。
【図５】従来例の筐体を示す斜視図である。
【図６】従来例の筐体を示す斜視図である。
【発明を実施するための形態】
【０００９】
以下、本発明を実施するための形態について、図面を参照しながら説明する。
【００１０】
＜第１の実施形態＞
図１は、本実施例のアクセサリ―ユニットを示す斜視図であり、図２はアクセサリ―ユニットを示す背面図である。
【００１１】
このアクセサリ―ユニット１は、図示しない撮像装置であるカメラ３０を操作者が離れた位置で各種設定をするための電子機器である。このアクセサリ―ユニット１には、前面に各種設定値を表示するための表示パネル３１と、各種設定値の操作を行うための操作ダイヤル３２、操作ボタン３３が配置され、側面に図示しないケーブル３４を接続することでカメラ３０と電気的に接続する接続端子３５が配置され、背面に別途ユーザが用意した図示しない三脚３６を着脱可能とするための三脚部４が配置されている。また、このアクセサリ―ユニット１には、外装の前面を構成する金属から成る前カバー２と外装の背面を構成する樹脂から成る後ろカバー３と、前カバー２と後ろカバー３の間に弾性部材１１（図３に示す）が設けられている。
【００１２】
図３は、アクセサリ―ユニットの三脚部の分解斜視図である。
【００１３】
三脚部４には、三脚３６を着脱可能とするめねじ部が変形又は破損を防止するためのめねじ補強部品となるヘリサート１２が設けられている。このヘリサート１２は、前カバー２に設けられためねじ部６に、おねじ部５を沿うように専用工具でねじ込むことで設置される。後ろカバー３には、三脚部４に三脚３６を着脱可能とするための開口部７が設けられている。この開口部７の側壁には、ヘリサート１２のおねじ部５に係合する凸部９と、ヘリサート１２のおねじ部５よりも小さく係合しない凸部１０が設けられている。
【００１４】
次に、本発明の外装カバーを取り付ける方法について説明を行う。
【００１５】
図４（ａ）、（ｂ）、（ｃ）は、図２に示すＡ−Ａ‘線に沿うアクセサリ―ユニットの三脚部の断面図である。図４（ａ）に示すようにヘリサート１２を前カバー２の天面１３に対して凸にならないように、前カバー２に設けられためねじ部６に専用工具でねじ込む。そして、図４（ｂ）に示すように後ろカバー３を前カバー２に被せて、図４（ｃ）に示すようにヘリサート１２のおねじ部５を後ろカバー３の凸部９に係合するように専用工具で抜き出し、凸部１０に突き当たるまで行うことにより、係合部である凸部９を撓ませて変形させることなく外装カバーを取り付けることができる。また、ヘリサート１２のおねじ部５が外観よりはみ出すこともない。
【００１６】
また、前カバー２と後ろカバー３の間に弾性部材１１を設けることにより、おねじ部５と凸部９の位相差によって生じるカバーの隙間を埋めることができ、アクセサリ―ユニット１への塵や水滴の侵入を防止することができる。
【００１７】
次に、本発明の外装カバーを取り外しする方法について説明を行う。
【００１８】
図４（ｃ）に示す状態から図４（ｂ）に示すようにヘリサート１２を前カバー２の天面１３に対して凸にならないように専用工具でねじ込むことにより、ヘリサート１２のおねじ部５は後ろカバー３の凸部９より係合が解除される。そして、図４（ａ）に示すように後ろカバー３を前カバー２から外すことができる。そのため、係合部である凸部９を撓ませて変形させることなく、外装カバーを取り外しすることができる。
【００１９】
以上説明したように、本発明の外装カバーの取り付け構造は、塵や水滴の侵入を防止することができ、外装カバーを取り付け・取り外しするときに係合部が破損することのない電子機器を提供することができる。
【００２０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２１】
１  アクセサリーユニット、２  前カバー、３  後ろカバー、４  三脚部、
５  おねじ部、６  めねじ部、７  開口部、８  弾性部材、９  凸部、
１０  凸部、１１  弾性部材、１２  ヘリサート、１３  天面、３０  カメラ、
３１  表示パネル、３２  操作ダイヤル、３３  操作ボタン、３４  ケーブル、
３５  接続端子、３６  三脚、１０１  筺体、１０２  三脚部、１０３  前カバー、
１０４  後ろカバー、１０５  固定ネジ、１０６  弾性部材、２０１  筺体、
２０２  リアケース、２０３  カバー、２０４  爪部、２０５  凸部（被係合部）
【図１】
2019179053.tif 000003
【図２】
2019179053.tif 000004
【図３】
2019179053.tif 000005
【図４ａ】
2019179053.tif 000006
【図４ｂ】
2019179053.tif 000007
【図４ｃ】
2019179053.tif 000008
【図５】
2019179053.tif 000009
【図６】
2019179053.tif 000010